(57)【特許請求の範囲】
【請求項１】
可動部と基台とがばねで結合され、前記可動部あるいは前記基台に電磁石が取り付けられた電磁振動フィーダに対し、前記電磁石の電磁コイルに入力される電流または電圧と前記可動部の振動変位との位相差を検出して、当該位相差が所定値となるように、前記電磁コイルに入力される電流または電圧の周波数を、上昇方向に変化させる第１態様、または、下降方向に変化させる第２態様のいずれかにて変化させて前記可動部を共振振動させる電磁振動フィーダの駆動制御方法において、
前記可動部を共振振動させる制御を行うに先立ち、所定の上限値と下限値との間で周波数を一方向に下降または上昇させつつ、前記電磁コイルへと電流を入力する周波数掃引を行い、
前記周波数掃引中の、前記電磁コイルに入力される電流または電圧と前記可動部の振動変位との位相差が、減少していくか増加していくかにより、前記可動部の振動変位を検出する変位検出手段の前記可動部に対する取り付け状態が、第１の取り付け状態であるか第２の取り付け状態であるかを判別し、
前記判別結果により、前記電磁コイルに入力される電流または電圧の周波数を、前記第１態様で変化させるか第２態様で変化させるかを選択することを特徴とする電磁振動フィーダの駆動制御方法。
【請求項２】
前記周波数掃引は、周波数を一方向に下降または上昇させる途中に、前記可動部の共振周波数が含まれるようになされることを特徴とする請求項１に記載の電磁振動フィーダの駆動制御方法。
【請求項３】
可動部と、基台と、前記可動部及び前記基台を結合するばねと、前記可動部あるいは前記基台に取り付けられた電磁石と、前記可動部の振動変位を検出する変位検出手段とを有する電磁振動フィーダに設けられ、
前記電磁石の電磁コイルに入力される電流または電圧と前記可動部の振動変位との位相差の変化を検出する位相差検出手段と、
前記変位検出手段の、前記可動部に対する取り付け状態を判別する取付状態判別手段と、
前記電磁コイルに電流を入力する可変周波数電源とを有し、
前記可変周波数電源は、所定の上限値と下限値との間で周波数を一方向に下降または上昇させつつ、前記電磁コイルへと電流を入力する周波数掃引を行う際、前記電磁コイルに入力される電流または電圧と前記可動部の振動変位との位相差が、減少していくか増加していくかにより、前記変位検出手段の前記可動部に対する取り付け状態が、第１の取り付け状態であるか第２の取り付け状態であるかの、前記取付状態判別手段による判別結果により、周波数を上昇方向に変化させる第１態様、または、下降方向に変化させる第２態様のいずれかにて変化させて、前記電磁コイルに電流を入力する電磁振動フィーダの駆動制御装置。
【請求項４】
可動部と、基台と、前記可動部及び前記基台を結合するばねと、前記可動部あるいは前記基台に取り付けられた電磁石と、前記可動部の振動変位を検出する変位検出手段とを有する電磁振動フィーダにおいて、
前記電磁石の電磁コイルに入力される電流または電圧と前記可動部の振動変位との位相差の変化を検出する位相差検出手段と、
前記変位検出手段の、前記可動部に対する取り付け状態を判別する取付状態判別手段と、
前記電磁コイルに電流を入力する可変周波数電源とを有し、
前記可変周波数電源は、所定の上限値と下限値との間で周波数を一方向に下降または上昇させつつ、前記電磁コイルへと電流を入力する周波数掃引を行う際、前記電磁コイルに入力される電流または電圧と前記可動部の振動変位との位相差が、減少していくか増加していくかにより、前記変位検出手段の前記可動部に対する取り付け状態が、第１の取り付け状態であるか第２の取り付け状態であるかの、前記取付状態判別手段による判別結果により、周波数を上昇方向に変化させる第１態様、または、下降方向に変化させる第２態様のいずれかにて変化させて、前記電磁コイルに電流を入力することを特徴とする電磁振動フィーダ。
【発明の詳細な説明】
【技術分野】
【０００１】
本発明は、電磁振動フィーダの駆動制御方法及びその装置、電磁振動フィーダに関するものである。
【背景技術】
【０００２】
電磁振動フィーダの一例である振動パーツフィーダは、ボウルと基台とを板ばねで結合したものである。そして、可動部としてのボウルには磁性体から構成された接極子が取り付けられている。一方、基台には、前記接極子に空隙をおくようにして電磁石が取り付けられている。このように構成された振動パーツフィーダは、電磁コイルに交流電流を流すことで電磁石が励磁され、この励磁された電磁石と前記接極子との間に交番磁気吸引力が発生して、ボウルを振動させる。
【０００３】
このような振動パーツフィーダでは、ボウルを共振振動させることにより、電磁コイルへの入力電流に対してボウルの振幅を最大にできる。そのため、ボウルを共振振動させることがエネルギー効率の点で好ましい。
【０００４】
そこで、ボウルの振動変位と電磁石の電磁コイルに入力される電流または電圧との位相差を検出して、この位相差が所定値（この所定値は、例えば電流を基準とした場合では、図３に示すように９０度となる）となるように、前記電磁コイルに入力される電流または電圧の周波数を変化させ、当該周波数を共振周波数（例えば電流を基準とした場合の共振周波数は、図３に示すω0となる）に近づけるような制御（共振周波数の探査制御）を行い、ボウルを共振振動させる（特許文献１参照）。この制御を「共振点追従制御」という。
【０００５】
なお、前記共振点追従制御を行うためには、ボウルの振動変位を検出する必要がある。そのため、振動パーツフィーダには、振動センサ等の変位検出手段が取り付けられる。
【先行技術文献】
【特許文献】
【０００６】
【特許文献１】特許第４０６６４８０号公報
【発明の概要】
【発明が解決しようとする課題】
【０００７】
ところが、この変位検出手段は、振動パーツフィーダへの取り付け状態によって、ボウルの振動変位が同一であるにもかかわらず、検出される結果が異なってしまう場合がある。例えば、板ばねに対して変位検出手段を図１に示した「Ｐ」の位置に取り付けた場合と「Ｐ'」の位置に取り付けた場合とでは、検出される結果が異なる。以下、一の取り付け状態を「第１の取り付け状態」と称し、他の取り付け状態を「第２の取り付け状態」と称する。
【０００８】
具体的に述べると、変位検出手段の振動パーツフィーダへの取り付け状態により、変位検出手段で検出される振動変位の位相が角度で言うと１８０度分ずれてしまう（図６における、振動変位についての実線表記の検出波形と破線表記の検出波形との関係を参照）。
【０００９】
すなわち、変位検出手段の振動パーツフィーダへの取り付け状態が第１の取り付け状態である場合には、電磁コイルに接極子が吸引されることで両者が近づく際において、変位検出手段で検出される振動変位が正の方向に検出されるものとする（第１の関係）。前記関係を前提とすると、変位検出手段の振動パーツフィーダへの取り付け状態が第２の取り付け状態である場合には、前記第１の関係とは逆に、変位検出手段で検出される振動変位が負の方向に検出される（第２の関係）。このように、第１の関係と第２の関係とでは、電磁コイルと接極子との間に働く力（磁気吸引力）の位相と、変位検出手段で検出される振動変位の位相との関係が、図６における実線表記の検出波形と破線表記の検出波形のように、逆の関係となる。
【００１０】
ちなみに、前記第１の関係を、電磁コイルと接極子との間に働く力（磁気吸引力）の位相と振動変位の位相とが一致する関係にあることから「同相」と称することがある（例えば、図４Ｂに示す電磁コイルに入力される電流（位相が前記磁気吸引力の位相と一致する）の時間的変化と、図４Ｃに示す振動変位の時間的変化との関係を参照）。また、前記第２の関係を、前記各位相が逆になる関係にあることから「逆相」と称することがある。
【００１１】
このため、変位検出手段の検出結果を用いて求められたボウルの振動変位の位相と、電磁コイルに入力される電流または電圧の位相との位相差が、見かけ上同じであったとしても、前記第１の関係（仮に図６における実線表記の位相の波形とする）の場合と第２の関係（同破線表記の位相の波形とする）の場合とでは、共振周波数の探査アルゴリズム、つまり、電磁コイルに入力される電流または電圧の周波数が共振周波数よりも低いために電流または電圧の周波数を上昇方向に変化させて共振周波数の探査を行う（第１態様）べきか、電流または電圧の周波数が共振周波数よりも高いために電流または電圧の周波数を下降方向に変化させて共振周波数の探査を行う（第２態様）べきかの選択が異なってくる。
【００１２】
そのため、第１態様か第２態様かの選択を誤れば、検出された位相差に応じて電磁コイルに入力される電流または電圧の周波数を変化させても、当該周波数が共振周波数に近づかず、むしろ共振振動の状態から遠ざかってしまうことがある。この場合では、共振点追従制御は正常に行えず、共振振動を実現できない。
【００１３】
そこで本発明は、変位検出手段の取り付け状態にかかわらず、確実に共振点追従制御を行える、電磁振動フィーダの駆動制御方法及びその装置、電磁振動フィーダを提供することを課題とする。
【課題を解決するための手段】
【００１４】
本発明においては、可動部と基台とがばねで結合され、前記可動部あるいは前記基台に電磁石が取り付けられた電磁振動フィーダに対し、前記電磁石の電磁コイルに入力される電流または電圧と前記可動部の振動変位との位相差を検出して、当該位相差が所定値となるように、前記電磁コイルに入力される電流または電圧の周波数を、上昇方向に変化させる第１態様、または、下降方向に変化させる第２態様のいずれかにて変化させて前記可動部を共振振動させる電磁振動フィーダの駆動制御方法において、前記可動部を共振振動させる制御を行うに先立ち、所定の上限値と下限値との間で周波数を一方向に下降または上昇させつつ、前記電磁コイルへと電流を入力する周波数掃引を行い、前記周波数掃引中の、前記電磁コイルに入力される電流または電圧と前記可動部の振動変位との位相差が、減少していくか増加していくかにより、前記可動部の振動変位を検出する変位検出手段の前記可動部に対する取り付け状態が、第１の取り付け状態であるか第２の取り付け状態であるかを判別し、前記判別結果により、前記電磁コイルに入力される電流または電圧の周波数を、前記第１態様で変化させるか第２態様で変化させるかを選択することを特徴としている。
【００１５】
前記方法によると、周波数掃引中の、電磁コイルに入力される電流または電圧と可動部の振動変位との位相差の変化を検出し、前記検出した位相差が、減少していくか増加していくかにより、前記可動部の振動変位を検出する変位検出手段の前記可動部に対する取り付け状態が、第１の取り付け状態であるか第２の取り付け状態であるかを判別し、前記判別結果により、前記電磁コイルに入力される電流または電圧の周波数を、前記第１態様で変化させるか第２態様で変化させるかを選択する。このため、可動部を共振振動させる制御を行う際に、電磁コイルに入力される電流または電圧の周波数を、上昇方向に変化させる（第１態様）か、または、下降方向に変化させる（第２態様）かを正確に選択できる。また、この判別結果を用いて、電磁コイルに入力される電流または電圧の周波数の選択を正確に行うことができる。
【００１６】
そして、本発明においては、前記周波数掃引は、周波数を一方向に下降または上昇させる途中に、前記可動部の共振周波数が含まれるようになされることが好ましい。
【００１７】
前記好ましい構成によると、電磁振動フィーダが、例えば、共振周波数を挟み位相差が急激に変化するような特性を有していても、共振周波数を挟むように周波数掃引がなされるから、電磁コイルに入力される電流または電圧の周波数の選択を正確に行うことができる。
【００１８】
また、本発明においては、可動部と、基台と、前記可動部及び前記基台を結合するばねと、前記可動部あるいは前記基台に取り付けられた電磁石と、前記可動部の振動変位を検出する変位検出手段とを有する電磁振動フィーダに設けられ、前記電磁石の電磁コイルに入力される電流または電圧と前記可動部の振動変位との位相差の変化を検出する位相差検出手段と、前記変位検出手段の、前記可動部に対する取り付け状態を判別する取付状態判別手段と、前記電磁コイルに電流を入力する可変周波数電源とを有し、前記可変周波数電源は、所定の上限値と下限値との間で周波数を一方向に下降または上昇させつつ、前記電磁コイルへと電流を入力する周波数掃引を行う際、前記電磁コイルに入力される電流または電圧と前記可動部の振動変位との位相差が、減少していくか増加していくかにより、前記変位検出手段の前記可動部に対する取り付け状態が、第１の取り付け状態であるか第２の取り付け状態であるかの、前記取付状態判別手段による判別結果により、周波数を上昇方向に変化させる第１態様、または、下降方向に変化させる第２態様のいずれかにて変化させて、前記電磁コイルに電流を入力する電磁振動フィーダの駆動制御装置である。
【００１９】
前記構成によると、電磁振動フィーダの駆動制御装置が、電磁コイルに入力される電流または電圧と前記可動部の振動変位との位相差の変化を検出する位相差検出手段と、所定の上限値と下限値との間で周波数を一方向に下降または上昇させつつ、前記電磁コイルへと電流を入力する周波数掃引を行う際の前記位相差の変化に基づいて、前記可動部が共振振動するように、前記電磁コイルに周波数を上昇方向または下降方向に変化させて電流を入力する可変周波数電源とを有する。このため、可動部を共振振動させる制御を行う際に、周波数を上昇方向に変化させる（第１態様）か、または、下降方向に変化させる（第２態様）かを正確に選択して、電磁コイルに電流を入力できる。また、この判別結果を用いて、電磁コイルに入力される電流または電圧の周波数の選択を正確に行うことができる。
【００２０】
また、本発明においては、可動部と、基台と、前記可動部及び前記基台を結合するばねと、前記可動部あるいは前記基台に取り付けられた電磁石と、前記可動部の振動変位を検出する変位検出手段とを有する電磁振動フィーダにおいて、前記電磁石の電磁コイルに入力される電流または電圧と前記可動部の振動変位との位相差の変化を検出する位相差検出手段と、前記変位検出手段の、前記可動部に対する取り付け状態を判別する取付状態判別手段と、前記電磁コイルに電流を入力する可変周波数電源とを有し、前記可変周波数電源は、所定の上限値と下限値との間で周波数を一方向に下降または上昇させつつ、前記電磁コイルへと電流を入力する周波数掃引を行う際、前記電磁コイルに入力される電流または電圧と前記可動部の振動変位との位相差が、減少していくか増加していくかにより、前記変位検出手段の前記可動部に対する取り付け状態が、第１の取り付け状態であるか第２の取り付け状態であるかの、前記取付状態判別手段による判別結果により、周波数を上昇方向に変化させる第１態様、または、下降方向に変化させる第２態様のいずれかにて変化させて、前記電磁コイルに電流を入力することを特徴とする電磁振動フィーダである。
【００２１】
前記構成によると、電磁振動フィーダが、電磁コイルに入力される電流または電圧と前記可動部の振動変位との位相差の変化を検出する位相差検出手段と、所定の上限値と下限値との間で周波数を一方向に下降または上昇させつつ、前記電磁コイルへと電流を入力する周波数掃引を行う際の前記位相差の変化に基づいて、前記可動部が共振振動するように、前記電磁コイルに周波数を上昇方向または下降方向に変化させて電流を入力する可変周波数電源とを有する。このため、可動部を共振振動させる制御を行う際に、周波数を上昇方向に変化させる（第１態様）か、または、下降方向に変化させる（第２態様）かを正確に選択して、電磁コイルに電流を入力できる。また、この判別結果を用いて、電磁コイルに入力される電流または電圧の周波数の選択を正確に行うことができる。
【発明の効果】
【００２２】
本発明によれば、可動部を共振振動させる制御を行う際に、電磁コイルに入力される電流または電圧の周波数を、上昇方向に変化させる（第１態様）か、または、下降方向に変化させる（第２態様）かを正確に選択できる。このため、確実に共振点追従制御を行える。
【図面の簡単な説明】
【００２３】
【図１】本発明の一実施形態による振動パーツフィーダ及びこの駆動制御用の共振点追従制御回路を共に示すブロック図である。
【図２】図１における共振点追従制御回路の詳細を示すブロック図である。
【図３】本発明の一実施形態の、周波数に対する力（電流）の変位と振動変位との位相差の関係を示すグラフである。
【図４】本発明の一実施形態を示すグラフであり、Ａは電磁コイルに入力される電圧の時間的変化、Ｂは電磁コイルに入力される電流の時間的変化、Ｃは共振周波数より低い周波数で駆動されるときの振動変位の時間的変化、Ｄは共振周波数より高い周波数で駆動されるときの振動変位の時間的変化を示す。
【図５】本発明の一実施形態の、初期セットアップ及び共振点追従制御を示すフロー図である。
【図６】変位検出手段で検出される振動変位の位相がずれた例を示したグラフである。
【発明を実施するための形態】
【００２４】
本発明につき、一実施形態を取り上げて、図面とともに以下説明を行う。
【００２５】
本実施形態では、電磁振動パーツフィーダとして、図１に示す振動パーツフィーダが適用される。図示していないが、この振動パーツフィーダには、平面視において円形のボウル１内の内周壁部にスパイラル状にトラックが形成されている。ボウル１は下方の基台２に対し等角度及び等間隔で配設されたばね（板ばね）５により結合されている。そして、基台２には電磁コイル４を備えた電磁石３が固定されている。一方、ボウル１には接極子（図示しない）が取り付けられている。そして、振動パーツフィーダ全体は防振ゴム６を介して床上に設置されている。
【００２６】
変位検出手段としての振動ピックアップＰは板ばね５の近傍に設けられている。この振動ピックアップＰとして、本実施形態では渦電流式近接センサが用いられているが、変位検出手段の種類はこれに限定されない。例えば、その他原理による検出を行う変位センサ、加速度センサを挙げることができる。
【００２７】
この振動ピックアップＰは、共振点追従制御回路７に電線路Ｗ1を介して接続されている。更に、共振点追従制御回路７と電磁石３の電磁コイル４とは電線路Ｗ2を介して接続されている。
【００２８】
本実施形態の振動ピックアップＰは、図１にて実線表記された方の板ばね５の上端近傍に設けられている。しかし、例えば、この板ばね５の下端近傍等、他の位置に設けられていても良い。また、図１で破線表記された板ばね５（実線表記された板ばね５の１８０度反対側に設けられている）の近傍に設けられたものであっても良い（振動ピックアップＰ'として図示）。また、ボウル１の近傍に設けられたものであっても良い。
【００２９】
図２は、図１における共振点追従制御回路７の詳細を示すものである。この共振点追従制御回路７は、主として、可変周波数電源１０、位相検出回路１１、メモリ１５及び定振幅制御回路２２、そして、振動ピックアップ取付状態判別部３１を備えている。
【００３０】
可変周波数電源１０には、図１にも示されるように、交流電源８がスイッチＳを介して接続されており、この可変周波数電源１０の出力は定振幅制御回路２２及び増幅器１２を介して電磁石３の電磁コイル４に入力される。また、図１における振動ピックアップＰの出力は電線路Ｗ1を介して増幅器１３に入力される。そして、この増幅器１３による増幅出力は切替スイッチ３２を介して位相検出回路１１に入力される。つまり、振動ピックアップＰにより得られた板ばね５の振動変位の位相は、位相検出回路１１に入力される。
【００３１】
位相検出回路１１は、後述する切替スイッチ３２の二つの接点ｘ１，ｘ−１の切り替えに応じ、当該位相検出回路１１で検出される振動変位の波形（正弦波）が、切り替え前とは逆波形となるようにされている。また、位相検出回路１１には、更に増幅器１２の出力（電圧）が電線路Ｗ3を介して入力されている。つまり、増幅器１２の出力（電圧）は、位相検出回路１１に入力される。そして、位相検出回路１１の出力は可変周波数電源１０及び振動ピックアップ取付状態判別部３１に入力される。なお、本実施形態の位相検出回路１１は電圧を検出するものであるが、電流を検出するものであっても良い。
【００３２】
ところで、本実施形態によれば、可変周波数電源１０に定振幅制御回路２２が接続されている。そして、この定振幅制御回路２２には、所定の振幅指令を与えるための振幅指令回路２１が接続されている。この定振幅制御回路２２には更に、振動ピックアップＰの出力が電線路Ｗ1及び増幅器１３を介して入力されている。また、可変周波数電源１０には、スイッチＳを入れた後、前回の駆動終了時に記憶した共振周波数がメモリ１５から供給され、スイッチＳが入ると共にこの記憶されていた周波数の電流を、可変周波数電源１０から定振幅周波数制御回路２２を介して増幅器１２側に入力する。
【００３３】
また、可変周波数電源１０と位相検出回路１１とには振動ピックアップ取付状態判別部３１が接続されている。また、増幅器１３と位相検出回路１１との間には切替スイッチ３２が設けられている。この切替スイッチ３２は、接点ｘ１と接点ｘ−１とで接続を切り替えることができるものであり、振動ピックアップ取付状態判別部３１により切り替えの操作がなされる。
【００３４】
次に、この振動パーツフィーダの駆動手順について、フロー図である図５を示しつつ説明する。
【００３５】
振動パーツフィーダのユーザーがスイッチＳを入れると、交流電源８が可変周波数電源１０に接続される。そして、可変周波数電源１０からの電流は増幅器１２を介して電磁石３の電磁コイル４に入力される。この電流の入力により、電磁石３に交番磁気吸引力が発生するため、板ばね５により支持されたボウル１に捩り振動が発生する。振動ピックアップＰは板ばね５の振動変位を検出し、この振動変位の検出値が増幅器１３により増幅されて位相検出回路１１に入力される。また、位相検出回路１１は、この際における増幅器１２と電磁コイル４との間の電圧を検出する。
【００３６】
振動パーツフィーダの初期セットアップを行う際（振動パーツフィーダの最初の運転に先立つ調整の際）、あるいは、改造・分解点検等の後に再セットアップを行う際には、振動パーツフィーダにユーザーによる初期セットアップ指示がなされたことを条件として（ステップＳ１１）、まず、周波数掃引が行われる（ステップＳ１２）。
【００３７】
周波数掃引とは、可変周波数電源１０から増幅器１２を介し、電磁コイル４に対して、所定の上限値と下限値との間で周波数を下降または上昇させつつ、電流を入力することを言う。本実施形態では、全波出力の上限周波数（１８０Ｈｚ）から下限周波数（９０Ｈｚ）まで、可変周波数電源１０の電源周波数を一方向に（途中で上昇させることなく）下降させて電磁コイル４に電流が入力される。この際、上限周波数と下限周波数との間には、可動部（ボウル）１の共振周波数（設計上の共振周波数）が含まれるようになされる。
【００３８】
位相検出回路１１は、電磁コイル４へ入力される電圧を検出する。そして、この位相検出回路１１は、前記電圧の入力位相と、振動ピックアップＰにより得られた板ばね５の振動変位の位相との位相差も検出する。つまり、本実施形態における位相検出回路１１は、電磁コイル４に入力される電圧と、振動ピックアップＰにより得られた板ばね５の振動変位との位相差を検出する位相差検出手段として機能する。
【００３９】
振動ピックアップ取付状態判別部３１は、上限周波数から下限周波数まで周波数を下降させる周波数掃引中の位相差の変化（より詳しくは、位相差が減少していくか（図３上の矢印ａの変化）、増加していくか（図３上の矢印ｂの変化））を検出する（ステップＳ１３）ことにより、振動ピックアップＰの取り付け状態を判別する。言い換えると、図３に示す、位相差の変化を示す曲線の傾きが負か（図３上の矢印ａの変化）、正か（図３上の矢印ｂの変化）を検出し、例えば、図１に示した振動ピックアップＰの取り付け状態か、あるいは振動ピックアップＰ'の取り付け状態かを判別する。なお、前記各取り付け状態は、課題欄にて述べた第１の取り付け状態、第２の取り付け状態のうちいずれかに対応する。
【００４０】
ここで、振動ピックアップＰの取り付け状態が、前記第１の取り付け状態（電磁コイルに働く力（吸引力）の位相と振動変位の位相が一致する関係（「第１の関係」、「同相」とも言う））である場合は、前記の上限周波数から下限周波数までの周波数掃引に伴い、位相差は減少していく。
【００４１】
これに対し、前記第２の取り付け状態（電磁コイルに働く力（吸引力）の位相と振動変位の位相が逆になる関係（第２の関係、「逆相」とも言う））である場合は、上限周波数から下限周波数までの周波数掃引に伴い、位相差は増加していく。
【００４２】
このように、第１の取り付け状態と第２の取り付け状態とで、周波数掃引中の位相差の変化（図３上の曲線の傾き）が異なる。よって、振動ピックアップ取付状態判別部３１は、前記位相差の変化を検出することにより、振動ピックアップＰの取り付け状態の判別をすることができる。
【００４３】
前記判別により、振動ピックアップ取付状態判別部３１は、切替スイッチ３２を、第１の取り付け状態の場合は接点ｘ１で接続し（ステップＳ１４）、第２の取り付け状態の場合には接点ｘ−１で接続する（ステップＳ１５）。この接点切り替えにより、位相検出回路１１では、検出される振動変位の波形（正弦波）が、切り替え前とは逆波形となるようにされている。つまり、図６における検出波形を例とすると、切り替え前に例えば実線表記であった波形が、切り替え後は破線表記の波形（実線表記とは上下が逆となった波形）として位相検出回路１１で検出される。本実施形態では、波形は正弦波であるので、逆波形とはすなわち、振動変位の位相を角度で言うと１８０度分ずらしたのと同じ波形となる。
【００４４】
ここで、図３は、力の周波数ω（本実施形態では、可変周波数電源１０から増幅器１２を介して電磁コイル４へ向かう電流Ｉの周波数）に対する、電流Ｉとボウル１の振動変位との位相差φの関係を示したものである。図３で実線表示したように、位相差φは１８０度から０度まで変化し、周波数ωが大きい方が大きい位相差となる。図上、ω0は共振点における周波数（共振周波数）を示し、共振点での位相差φは９０度となる。なお、図３において、Ｃ１、Ｃ２、Ｃ３は振動系の粘性係数を表しており、Ｃ３＞Ｃ２＞Ｃ１である。また、図３における破線表示は、前述した第２の取り付け状態における、電流Ｉとボウル１の振動変位との位相差φの関係を、第１の取り付け状態と比較するために便宜上示したものである。これは、位相検出回路１１に入力される振動変位の波形が、変位検出手段Ｐの振動パーツフィーダへの取り付け状態により逆の波形になった場合に対応している。
【００４５】
また、図４Ａは、電磁コイル４へ入力される電圧Ｖの時間的変化を示したものである。図４Ｂは、電磁コイル４へ入力される電流Ｉの時間的変化を示したものである。いずれも、波形は正弦波となる。また、回路中に電磁コイル４が存在することにより、電圧の位相と電流の位相とには角度で言うと９０度のずれが生じる。
【００４６】
初期セットアップ等は前述のようにして行われ、その後、以下のように共振点追従制御が行われる。
【００４７】
続いて、共振点追従制御について、フロー図である図５を示しつつ説明する。初期セットアップが既に終わっており、振動パーツフィーダに初期セットアップ指示がされなかった場合は、振動パーツフィーダを起動させた直後に、この共振点追従制御を開始する状態となる。
【００４８】
まず、電磁コイル４へ入力される電圧（または電流）、及び、振動ピックアップＰにより得られた板ばね５の振動変位の位相を検出する（ステップＳ２１）。そして、前記電圧（または電流）の位相と振動変位の位相との位相差が所定値であるか判断する（ステップＳ２２）。
【００４９】
つまり、電磁コイル４へ入力される電流Ｉにより、電磁石３とボウル１に固定された接極子との間に交番磁気吸引力が発生する。このため、ボウル１に捩り振動が発生する。この際の振動変位Ｓ1が、図４Ｃに示すように電流Ｉの変位（図４Ｂ）と一致する場合には各変位の位相差φが０度となる（なお、電圧Ｖの変位（図４Ａ）に対しては振動変位Ｓ1との位相差φが９０度となる）。この位相差は所定値、本実施形態では、図３に示す、共振点における周波数（共振周波数）ω0における力（電流）と振動変位との位相差φ９０度より小さい。この場合には、位相検出回路１１が周波数を上昇させるべきであると判断して可変周波数電源１０の出力周波数を上昇させる（ステップＳ２３）。これにより、電磁石３の電磁コイル４には増幅器１２を介して上昇させた周波数の電流が入力される。これにより、より高い周波数でボウル１が振動する。この際、電磁コイル４に入力される電流の周波数は共振点における周波数ω0により近づいたことから、ボウル１の振幅はより大きくなる。
【００５０】
可変周波数電源１０の出力周波数が更に上昇して共振点における周波数ω0を通過した場合、最終的には、図４Ｄに示すように、振動変位Ｓ2と電流Ｉの変位との関係は位相差φで１８０度となる（なお、電圧Ｖの変位（図４Ａ）に対しては位相差φが２７０度となる）。このように、可変周波数電源１０の出力周波数が共振点における周波数ω0を通過した場合には、位相差が所定値（本実施形態では９０度）より大きくなるため、位相検出回路１１が周波数を下降させるべきであると判断して可変周波数電源１０の出力周波数を下降させる（ステップＳ２４）。
【００５１】
振動パーツフィーダに終了指示がなされない場合には、以上のようにして、可変周波数電源１０が出力周波数を上昇及び下降させることを繰り返し（ステップＳ２２〜Ｓ２５の繰り返し）、ついには、ボウル１が共振点で振動し、この振動パーツフィーダは共振周波数で駆動するようになる。この際、振動パーツフィーダのボウル１内のスパイラルトラック（図示しない）では、部品が所定の姿勢になるように部品整列手段により整列される。部品は、この整列された状態で次工程に供給される。
【００５２】
ここで、前記可変周波数電源１０の出力周波数の変化については、共振周波数の探査を行うべく、電磁コイル４に入力される電流（または電圧）の周波数を、上昇方向に変化させる態様（第１態様）と、下降方向に変化させる態様（第２態様）とが挙げられる。前記のようにして初期セットアップ等が行われたことにより、振動ピックアップＰの取り付け状態が第１の取り付け状態であるか第２の取り付け状態であるかは、既に判別されている。よって、共振点追従制御が行われる際には、図３に示すように、あらかじめ定められている、判別された振動ピックアップＰの取り付け状態（第１の取り付け状態、第２の取り付け状態）に対応した、電流または電圧の周波数と位相差との関係を基準に、可変周波数電源１０が、前記第１態様または第２態様にて、電磁コイルに入力される電流または電圧の周波数を変化させて振動パーツフィーダを共振周波数で駆動させる。
【００５３】
一方、ユーザーが、振動パーツフィーダの駆動を停止させるべくスイッチＳを切ると（つまり、振動パーツフィーダに終了指示がなされた場合）、可変周波数電源１０からの出力はなくなり、ボウル１の振動は停止する（ステップＳ２５）。この際、フロー図には記載していないが、不揮発性のメモリ１５にはスイッチＳを切る前の可変周波数電源１０の出力周波数が記憶される。
【００５４】
そして、振動パーツフィーダを再び駆動開始すべく、スイッチＳを入れるとメモリ１５で記憶されている共振周波数を出力すべく可変周波数電源１０が駆動される。従って、振動パーツフィーダのボウル１は、スイッチＳが入った時点から一定の共振周波数で駆動される。従って、再度の駆動の場合において、強制振動から共振周波数に移るときのショックがなくなり、また電源容量を小さくすることができる。
【００５５】
以上、本発明の一実施形態について説明したが、本発明はこれに限定されることなく、本発明の技術的思想に基づいて種々の変形が可能である。
【００５６】
例えば、本実施形態では、電磁振動フィーダとして直線的ねじり振動を行なう振動パーツフィーダについて説明したが、楕円振動パーツフィーダにも本発明は適用可能である。この場合には、垂直加振用板ばね、水平用加振板ばね及び垂直加振用電磁石及び水平加振用電磁石を有し、両加振力で得られる両振動変位の間に所定の位相差をもたせて楕円振動を行なわせるのであるが、この一方の駆動部、例えば水平加振力側に本発明を適用してもよい。また、直線的な振動を行なうリニア振動フィーダにも本発明は適用可能である。
【００５７】
また、本実施形態では、前述のように振動パーツフィーダの初期セットアップを行う際に、振動ピックアップＰの取り付け状態が第１の取り付け状態であるか第２の取り付け状態であるかを判別した上、この判別結果を用いて、これ以降、振動パーツフィーダを運転する際に共振点追従制御がなされるものとされている。しかし、本発明はこのように取り付け状態の判別が明確になされる態様に限られるものではない。例えば、電磁コイル４に入力される電流または電圧と可動部（ボウル）１の振動変位との位相差を検出し、周波数掃引中の前記位相差の変化を検出して、この検出された位相差の変化に基づいて直接（振動ピックアップＰの取り付け状態を判別することなく）、共振点追従制御がなされる態様であっても良い。
【００５８】
また、前記振動ピックアップ取付状態判別部３１は、周波数掃引中の位相差の減少・増加を検出できれば良い。そのため、この振動ピックアップ取付状態判別部３１は、周波数掃引中に位相検出回路１１によって検出された、異なる時間における位相差の値を少なくとも二点だけ用いることにより、振動ピックアップＰの取り付け状態の判別を行うことも可能である。
【００５９】
また、本実施形態では、位相検出回路１１が可変周波数電源１０の出力周波数を決定するため、周波数を検出するための手段が設けられていない（周波数は常に位相検出回路１１で把握されている）が、外乱等により可変周波数電源１０の出力周波数が変動してしまう可能性がある場合には、別途、周波数を検出するための手段を設けても良い。
【符号の説明】
【００６０】
１          可動部、ボウル
２          基台
３          電磁石
４          電磁コイル
５          ばね
１０          可変周波数電源
１１          位相検出回路
３１          取付状態判別手段、振動ピックアップ取付状態判別部
Ｐ          変位検出手段、振動ピックアップ
【図１】
0005843142.tif 000002
【図２】
0005843142.tif 000003
【図３】
0005843142.tif 000004
【図４】
0005843142.tif 000005
【図５】
0005843142.tif 000006
【図６】
0005843142.tif 000007